(57)【要約】【課題】液晶表示装置の画像劣化を防止すること。【解決手段】本発明では、複数の行信号線と複数の列信号線との交差部に表示画素をそれぞれ形成した液晶表示装置において、各行信号線又は各列信号線の配線容量を調整するための配線容量調整手段を有しており、同配線容量調整手段として、液晶パネル上で有効な表示を行う複数個の画素からなる有効表示領域よりも外側に予め形成されているダミー画素を構成する画素コンデンサを用いることにした。【選択図】      図１
2004271587.tif 000002
【特許請求の範囲】
【請求項１】
複数の行信号線と複数の列信号線との交差部に表示画素をそれぞれ形成した液晶表示装置において、
各行信号線又は各列信号線の配線容量を調整するための配線容量調整手段を有することを特徴とする液晶表示装置。
【請求項２】
前記配線容量調整手段は、各行信号線又は各列信号線にコンデンサを接続するとともに、同コンデンサを選択的に使用するように構成したことを特徴とする請求項１に記載の液晶表示装置。
【請求項３】
前記配線容量調整手段は、各行信号線又は各列信号線に複数個のコンデンサを並列接続するとともに、同複数個のコンデンサのうちのいずれかのコンデンサを選択して使用するように構成したことを特徴とする請求項１又は請求項２に記載の液晶表示装置。
【請求項４】
前記複数個のコンデンサは、それぞれ異なる容量であることを特徴とする請求項３に記載の液晶表示装置。
【請求項５】
前記コンデンサとして、液晶パネル上で有効な表示を行う複数個の画素からなる有効表示領域よりも外側に予め形成されているダミー画素を構成する画素コンデンサを用いたことを特徴とする請求項２〜請求項４のいずれかに記載の液晶表示装置。
【発明の詳細な説明】
【０００１】
【発明の属する技術分野】
本発明は、液晶表示装置に関するものである。
【０００２】
【従来の技術】
従来より液晶表示装置は、各種電子機器の表示手段として広範囲に使用されている。
【０００３】
かかる液晶表示装置は、複数の行信号線と複数の列信号線との交差部に表示画素をそれぞれ形成し、複数のうちから選択した行信号線と列信号線との交差部の表示画素を順次駆動することによって、画面全体で画像を表示するようにしていた。
【０００４】
その液晶表示装置の具体的な構造について説明すると、図２に示すように、液晶表示装置１０１は、複数の行信号線１０２と複数の列信号線１０３との交差部に駆動トランジスタ１０４と画素コンデンサ１０５とから構成した表示画素１０６をそれぞれ形成するとともに、行信号線１０２に垂直駆動回路１０７を接続する一方、列信号線１０３にビデオ信号入力線１０８を選択スイッチ１０９を介して接続し、さらには、選択スイッチ１０９に水平駆動回路１１０を接続している（たとえば、特許文献１）。
【０００５】
そして、液晶表示装置１０１は、垂直駆動回路１０７で複数の行信号線１０２のうちから１本の行信号線１０２にのみ駆動制御信号を印加することによって１本の行信号線１０２に接続された駆動トランジスタ１０４を駆動するとともに、水平駆動回路１１０で複数の選択スイッチ１０９のうちから１個の選択スイッチ１０９のみを導通状態とすることによって１本の列信号線１０３にのみビデオ信号入力線１０８からビデオ信号を入力して、１個の表示画素１０６を駆動するようにしており、駆動する表示画素１０６を列方向及び行方向に順に走査することで、１画面の画像を表示するようにしていた。
【０００６】
ここで、１本の列信号線１０３に接続した複数の表示画素１０６のうち最も外側に位置する表示画素１０６とそれよりも内側に位置する表示画素１０６とを比較すると、最も外側に位置する表示画素１０６は片側にのみ隣接する表示画素１０６が存在するのに対して、内側に位置する表示画素１０６は両側に隣接する表示画素１０６が存在するため、表示画素１０６の有する寄生容量が異なり、これにより、画像が劣化するおそれがあった。
【０００７】
そのため、従来の液晶表示装置１０１では、列信号線１０３の端部に擬似的に寄生容量を発生させるためのダミー配線１１１を形成して、各表示画素１０６の有する寄生容量をできるだけ等しくするようにしていた。
【０００８】
【特許文献１】
特開平１１−１９４３７０号公報
【０００９】
【発明が解決しようとする課題】
ところが、上記した従来の液晶表示装置１０１にあっては、列信号線１０３にダミー配線１１１を形成することで、列信号線１０３に容量が固定的な擬似コンデンサを接続し、これにより、隣接する表示画素１０６同士の寄生容量をできるだけ等しくするものであった。
【００１０】
そのため、選択スイッチ１０９などの存在に起因して複数の列信号線１０３それぞれが有する寄生容量に製造上の個体差が発生している場合には、ダミー配線１１１による固定容量の擬似コンデンサでは列信号線１０３同士の寄生容量を等しくすることができず、結果的に画像上に縦筋状のノイズが現出するといった画像劣化が生じるおそれがあった。
【００１１】
【課題を解決するための手段】
そこで、請求項１に係る本発明では、複数の行信号線と複数の列信号線との交差部に表示画素をそれぞれ形成した液晶表示装置において、各行信号線又は各列信号線の配線容量を調整するための配線容量調整手段を有することにした。
【００１２】
また、請求項２に係る本発明では、前記請求項１に係る本発明において、前記配線容量調整手段は、各行信号線又は各列信号線にコンデンサを接続するとともに、同コンデンサを選択的に使用するように構成することにした。
【００１３】
また、請求項３に係る本発明では、前記請求項１又は請求項２に係る本発明において、前記配線容量調整手段は、各行信号線又は各列信号線に複数個のコンデンサを並列接続するとともに、同複数個のコンデンサのうちのいずれかのコンデンサを選択して使用するように構成することにした。
【００１４】
また、請求項４に係る本発明では、前記請求項１〜請求項３のいずれかに記載の本発明において、前記複数個のコンデンサは、それぞれ異なる容量とした。
【００１５】
また、請求項５に係る本発明では、前記請求項２〜請求項４のいずれかに記載の本発明において、前記コンデンサとして、液晶パネル上で有効な表示を行う複数個の画素からなる有効表示領域よりも外側に予め形成されているダミー画素を構成する画素コンデンサを用いることにした。
【００１６】
【発明の実施の形態】
本発明に係る液晶表示装置は、複数の行信号線と複数の列信号線との交差部に表示画素をそれぞれ形成している。
【００１７】
しかも、液晶表示装置は、各行信号線又は各列信号線に各行信号線又は各列信号線の配線容量を調整するための配線容量調整手段を設けている。
【００１８】
かかる配線容量調整手段は、各行信号線又は各列信号線に複数個のコンデンサを並列接続するとともに、同複数個のコンデンサのうちのいずれかのコンデンサを選択して使用するように構成している。
【００１９】
特に、コンデンサとしては、液晶パネル上で有効な表示を行う複数個の画素からなる有効表示領域よりも外側に予め形成されているダミー画素を構成する画素コンデンサを用いている。
【００２０】
このように、液晶表示装置に配線容量調整手段を設けることによって、製造時に行信号線又は列信号線の配線容量に個体差が生じていても、配線容量調整手段によって調整することで配線容量の個体差を解消することができる。
【００２１】
そして、各行信号線又は各列信号線の配線容量の個体差を無くすことで、行信号線又は列信号線の配線容量に起因する液晶表示装置での画像の劣化を未然に防止することができる。
【００２２】
特に、配線容量調整手段を、各行信号線又は各列信号線にコンデンサを接続するとともに、同コンデンサを選択的に使用するように構成した場合には、配線容量調整手段の構造を簡単なものとすることができ、配線容量調整手段を負荷したことによる消費電力の増加や回路規模の増大を可及的に小さくすることができる。
【００２３】
また、配線容量調整手段を、各行信号線又は各列信号線に複数個のコンデンサを並列接続するとともに、同複数個のコンデンサのうちのいずれかのコンデンサを選択して使用するように構成した場合には、複数個のコンデンサを適宜組合わせて使用することができ、配線容量の調整範囲を増大することができる。
【００２４】
また、複数個のコンデンサをそれぞれ異なる容量とした場合には、配線容量の調整範囲をより一層増大することができる。
【００２５】
また、コンデンサとして、液晶パネル上で有効な表示を行う複数個の画素からなる有効表示領域よりも外側に予め形成されているダミー画素を構成する画素コンデンサを用いた場合には、配線容量を調整するために専用のコンデンサを別個独立して形成する必要がなくなり、製造コストの増大を防止することができる。
【００２６】
以下に、本発明の具体的な実施の形態について図面を参照しながら説明する。
【００２７】
本発明に係る液晶表示装置１は、図１に示すように、複数の行信号線２と複数の列信号線３との交差部に表示画素４をそれぞれ形成しており、このようにマトリクス状に配置された複数個の表示画素４によって液晶パネル上で有効な画像の表示を行うための有効表示領域５を形成している。
【００２８】
各表示画素４は、駆動トランジスタ６と画素コンデンサ７とから構成しており、行信号線２に駆動トランジスタ６のゲート端子を接続するとともに、ドレイン端子に列信号線３を接続する一方、ソース端子に画素コンデンサ７の一端を接続し、同画素コンデンサ７の他端を接地している。
【００２９】
また、液晶表示装置１は、行信号線２に垂直駆動回路８を接続する一方、列信号線３にビデオ信号入力線９を選択スイッチ１０を介して接続し、さらには、選択スイッチ１０に水平駆動回路１１を接続している。
【００３０】
ここで、垂直駆動回路８は、複数の行信号線２のうちから１本の行信号線２にのみ駆動制御信号を印加することによって１本の行信号線２に接続された表示画素４の駆動トランジスタ６を駆動するものである。
【００３１】
また、水平駆動回路１１は、複数の選択スイッチ１０のうちから１個の選択スイッチ１０のみを導通状態とすることによって１本の列信号線３にのみビデオ信号入力線９からビデオ信号を入力して、１個の表示画素４を駆動するものである。
【００３２】
そして、液晶表示装置１は、垂直駆動回路８と水平駆動回路１１とによって駆動する表示画素４を列方向及び行方向に順に走査することで、１画面の画像を表示するようにしている。
【００３３】
本発明に係る液晶表示装置１では、液晶パネルの有効表示領域５よりも外側にダミー画素１２を上下に２個ずつ予め形成している。
【００３４】
各ダミー画素１２は、表示画素４と同様に、駆動トランジスタ１３と画素コンデンサ１４とから構成しており、駆動トランジスタ１３のゲート端子に駆動制御信号線１５を接続するとともに、ドレイン端子に列信号線３を接続する一方、ソース端子に画素コンデンサ１４の一端を接続し、同画素コンデンサ１４の他端を接地しており、駆動制御信号線１５は、駆動制御回路１６に接続されている。
【００３５】
ここで、各列信号線３に接続した各ダミー画素１２の画素コンデンサ１４は、それぞれ異なる容量のものとしている。なお、本液晶表示装置１では、各列信号線３に複数個のダミー画素１２を設けているが、各列信号線３に１個のダミー画素１２を設けるだけでもよい。
【００３６】
そして、駆動制御回路１６、駆動制御信号線１５、及びダミー画素１２は、各列信号線３の配線容量を調整するための配線容量調整手段を構成している。
【００３７】
すなわち、駆動制御回路１６からの駆動制御信号によって全てのダミー画素１２の駆動トランジスタ１３を駆動状態（導通状態）とした場合には、列信号線３の配線容量として４個分のダミー画素１２の画素コンデンサ１４の総和の容量が付加されたことになり、また、駆動制御回路１６からの駆動制御信号によって複数個（たとえば、２個）のダミー画素１２の駆動トランジスタ１３だけを駆動状態（導通状態）とした場合には、列信号線３の配線容量として複数個（２個）分のダミー画素１２の画素コンデンサ１４の総和の容量が付加されたことになり、さらには、駆動制御回路１６からの駆動制御信号によって全てのダミー画素１２の駆動トランジスタ１３を非駆動状態（非導通状態）とした場合には、列信号線３の配線容量の増大がないことになる。
【００３８】
したがって、駆動制御回路１６で駆動させるダミー画素１２の画素コンデンサ１４の個数によって列信号線３の配線容量を調整することができる。
【００３９】
このように、液晶表示装置１に配線容量調整手段を設けることによって、製造時に列信号線３の配線容量に個体差が生じていても、配線容量調整手段によって調整することで配線容量の個体差を解消することができるので、列信号線３の配線容量に起因する液晶表示装置１での画像の劣化を未然に防止することができる。
【００４０】
特に、本液晶表示装置１の場合のように、列信号線３に選択スイッチ１０を接続した場合には、選択スイッチ１０が通常一対のｎチャネルＴＦＴとｐチャネルＴＦＴとで構成され、選択スイッチ１０での寄生容量が列信号線３の配線容量として付加されるため、選択スイッチ１０の製造時の個体差の影響で列信号線３の配線容量の個体差が大きくなってしまうが、配線容量調整手段としての画素コンデンサ１４の容量で列信号線３の配線容量の個体差を小さくすることができ、液晶表示装置１での画像の劣化を防止することができる。
【００４１】
すなわち、ビデオ信号入力線９から選択スイッチ１０を通過して列信号線３に入力されるビデオ信号の電位をＶとし、列信号線３での容量カップリングによる電位変化をΔＶとすると、
ΔＶ＝Ｖ＊Ｃｓｗ／（Ｃｓｉｇ＋Ｃｓｗ）
と表せる。ここで、Ｃｓｗは選択スイッチ１０の寄生容量、Ｃｓｉｇは列信号線３の配線容量である。
【００４２】
そのため、列信号線３の配線容量を大きくすることで、列信号線３での容量カップリングによるビデオ信号の電位変化（ΔＶ）を小さくすることができ、これにより、液晶表示装置１での画像の劣化を防止することができる。
【００４３】
なお、選択スイッチ１０の寄生容量は、選択スイッチ１０の動作速度やＯＮ抵抗などで決定されてしまい、容量を自由に増大させるができない。一方、ダミー画素１２の画素コンデンサ１４は、画像を表示するものではないため、容量を自由に変更することができ、また、画素コンデンサ１４ごとに異なる容量とすることもできる。
【００４４】
本液晶表示装置１では、列信号線３に配線容量調整手段を設けた場合について説明したが、行信号線２に配線容量調整手段を設けてもよく、また、列信号線３と行信号線２の両方ともに配線容量調整手段を設けてもよい。その場合には、配線容量調整手段によって行信号線２の配線容量或いは列信号線３と行信号線２の両方ともの配線容量を調節することができる。
【００４５】
また、本液晶表示装置１では、複数個のコンデンサ（４個の画素コンデンサ１４）を選択的に使用する場合について説明したが、列信号線３又は／及び行信号線２に１個のコンデンサを接続し、その１個のコンデンサを選択的に使用するようにしてもよい。この場合には、配線容量調整手段の構造を簡単なものとすることができ、配線容量調整手段を負荷したことによる消費電力の増加や回路規模の増大を可及的に小さくすることができる。
【００４６】
また、本液晶表示装置１では、複数個のコンデンサの容量をそれぞれ異なる容量としたが、全て同じ容量のものを使用してもよく、また、ダミー画素１２の画素コンデンサ１４を用いずに専用のコンデンサを別個独立して用いてもよい。
【００４７】
【発明の効果】
本発明は、以上に説明したような形態で実施され、以下に記載されるような効果を奏する。
【００４８】
すなわち、請求項１に係る本発明では、複数の行信号線と複数の列信号線との交差部に表示画素をそれぞれ形成した液晶表示装置において、各行信号線又は各列信号線の配線容量を調整するための配線容量調整手段を有するため、製造時に行信号線又は列信号線の配線容量に個体差が生じていても、配線容量調整手段によって調整することで配線容量の個体差を解消することができ、これにより、行信号線又は列信号線の配線容量に起因する液晶表示装置での画像の劣化を未然に防止することができる。
【００４９】
また、請求項２に係る本発明では、配線容量調整手段を、各行信号線又は各列信号線にコンデンサを接続するとともに、同コンデンサを選択的に使用するように構成しているため、配線容量調整手段の構造を簡単なものとすることができ、配線容量調整手段を負荷したことによる消費電力の増加や回路規模の増大を可及的に小さくすることができる。
【００５０】
また、請求項３に係る本発明では、配線容量調整手段を、各行信号線又は各列信号線に複数個のコンデンサを並列接続するとともに、同複数個のコンデンサのうちのいずれかのコンデンサを選択して使用するように構成しているため、複数個のコンデンサを適宜組合わせて使用することができ、配線容量の調整範囲を増大することができる。
【００５１】
また、請求項４に係る本発明では、複数個のコンデンサをそれぞれ異なる容量としているため、配線容量の調整範囲をより一層増大することができる。
【００５２】
また、請求項５に係る本発明では、コンデンサとして、液晶パネル上で有効な表示を行う複数個の画素からなる有効表示領域よりも外側に予め形成されているダミー画素を構成する画素コンデンサを用いているため、配線容量を調整するために専用のコンデンサを別個独立して形成する必要がなくなり、製造コストの増大を防止することができる。
【図面の簡単な説明】
【図１】本発明に係る液晶表示装置を示す回路図。
【図２】従来の液晶表示装置を示す回路図。
【符号の説明】
１  液晶表示装置
２  行信号線
３  列信号線
４  表示画素
５  有効表示領域
６  駆動トランジスタ
７  画素コンデンサ
８  垂直駆動回路
９  ビデオ信号入力線
１０  選択スイッチ
１１  水平駆動回路
１２  ダミー画素
１３  駆動トランジスタ
１４  画素コンデンサ
１５  駆動制御信号線
１６  駆動制御回路
【図１】
2004271587.tif 000003
【図２】
2004271587.tif 000004